【手続補正書】
【提出日】平成20年9月10日(2008.9.10)
【手続補正１】
【補正対象書類名】明細書
【補正対象項目名】特許請求の範囲
【補正方法】変更
【補正の内容】
【特許請求の範囲】
【請求項１】  視聴者が視聴した番組に関連する番組デ−タを記憶する視聴
者番組デ−タ記憶手段と、
該視聴者番組デ−タ記憶手段に記憶された前記番組デ−タに基づいて、前記視
聴者の好みの番組リストを作成する視聴者別番組リスト作成手段と、
放送事業者側から受信した番組表から前記視聴者別番組リスト作成手段により
作成した前記視聴者の好みの番組リストに該当する番組を検出する嗜好番組検出
手段と、
電源投入時に、前記嗜好番組検出手段により検出された前記視聴者の好みの番
組が放送されているか否かを検出する番組放送検出手段と、
該番組放送検出手段により、前記視聴者の好みの番組が放送されていることが
検出された場合、前記視聴者の好みの番組を立ち上げる嗜好番組立上手段とを備
えていることを特徴とする放送端末装置。
【請求項２】  前記嗜好番組立上手段が、ラストチャンネル等で立ち上げた
後、一定時間経過後に前記視聴者の好みの番組を立ち上げるものであることを特
徴とする請求項１記載の放送端末装置。
【請求項３】  前記嗜好番組立上手段が、ラストチャンネル等で立ち上げた
後、所定のランダム時間経過後に前記視聴者の好みの番組を立ち上げるものであ
ることを特徴とする請求項１記載の放送端末装置。
【請求項４】  表示手段の表示条件が成立したことを判断する表示条件成立
判断手段を備え、
前記嗜好番組立上手段が、ラストチャンネル等で立ち上げた後、前記表示条件
成立判断手段により表示条件が成立したと判断された場合に、前記視聴者の好み
の番組を立ち上げるものであることを特徴とする請求項１記載の放送端末装置。
【請求項５】  前記視聴者番組デ−タ記憶手段に記憶される前記番組デ−タ
に、視聴した日付、曜日、受信チャンネル、視聴時間などの受信情報、及び番組
デ−タに予め登録されている映画、ニュ−ス、スポ−ツ、ドラマなどのジャンル
種別や、出演する俳優、歌手、タレントなどの人物情報などの参照情報が含まれ
ていることを特徴とする請求項１〜４のいずれかの項に記載の放送端末装置。
【請求項６】  放送端末装置が、視聴者が視聴した番組に関連する番組デ−
タを記憶する視聴者番組デ−タ記憶手段と、
該視聴者番組デ−タ記憶手段に記憶された前記番組デ−タを情報センタ−に送
信するための番組デ−タ送信手段とを備え、
前記情報センタ−が、前記番組デ−タ送信手段を介して送信されてくる前記番
組デ−タの解析を行い、前記視聴者の番組嗜好に合った特定情報を付加して前記
放送端末装置へ送信する第１の特定情報送信手段を備えていることを特徴とする
情報提供システム。
【請求項７】  放送端末装置が、視聴者が視聴した番組に関連する番組デ−
タを記憶する視聴者番組デ−タ記憶手段と、
該視聴者番組デ−タ記憶手段に記憶された前記番組デ−タを情報センタ−に送
信するための番組デ−タ送信手段とを備え、
前記情報センタ−が、前記番組デ−タ送信手段を介して送信されてくる前記番
組デ−タの解析を行い、解析デ−タを放送局に送信する解析デ−タ送信手段を備
え、
前記放送局が、前記解析デ−タ送信手段を介して送信されてくる前記解析デ−
タに基づいて、前記視聴者の番組嗜好に合った特定情報を付加して前記放送端末
装置へ送信する第２の特定情報送信手段を備えていることを特徴とする情報提供
システム。
【請求項８】  前記放送端末装置が、前記第１の特定情報送信手段又は前記
第２の特定情報送信手段より送信されてくる特定情報に、録画予約番組の放送時
間の変更情報が含まれている場合には、前記録画予約番組の録画時間の設定を変
更する録画時間変更手段を備えていることを特徴とする請求項６又は請求項７記
載の情報提供システム。
【請求項９】  前記視聴者番組デ−タ記憶手段に記憶される前記番組デ−タ
に、視聴した日付、曜日、受信チャンネル、視聴時間などの受信情報、及び番組
デ−タに予め登録されている映画、ニュ−ス、スポ−ツ、ドラマなどのジャンル
種別や、出演する俳優、歌手、タレントなどの人物情報などの参照情報が含まれ
ていることを特徴とする請求項６〜８のいずれかの項に記載の情報提供システム
。
【請求項１０】  放送端末装置と情報センタ−との間で通信を行い、該情報
センタ−で前記放送端末装置の受信操作情報を把握することのできる情報提供シ
ステムであって、
前記放送端末装置が、
該放送端末装置に対する視聴者の受信操作デ−タを前記情報センタ−に送信す
る受信操作デ−タ送信手段を備え、
前記情報センタ−が、
前記放送端末装置から送信されてくる前記受信操作デ−タを集計する受信操作
デ−タ集計手段と、
該受信操作デ−タ集計手段により集計された受信操作デ−タに基づいて、視聴
者の在宅状況、視聴者の年齢等の視聴者情報を推定する視聴者情報推定手段と、
該視聴者情報推定手段により推定された視聴者情報を、該視聴者情報の利用者
に送信する視聴者情報送信手段とを備えていることを特徴とする情報提供システ
ム。
【請求項１１】  放送端末装置と情報センタ−との間で通信を行い、該情報
センタ−で前記放送端末装置の受信番組デ−タを把握することのできる情報提供
システムであって、
前記放送端末装置が、
視聴者が視聴した番組に関連する番組デ−タを記憶する視聴者番組デ−タ記憶
手段と、
該視聴者番組デ−タ記憶手段に記憶された前記番組デ−タを前記情報センタ−
に送信する番組デ−タ送信手段とを備え、
前記情報センタ−が、
前記放送端末装置から送信されてくる前記番組デ−タを集計する番組デ−タ集
計手段と、
該番組デ−タ集計手段により集計された前記番組デ−タに基づいて、該番組デ
−タに含まれる参照情報の頻度を累計する参照情報頻度累計手段と、
該参照情報頻度累計手段による累計結果に基づいて、前記参照情報の中に頻度
が所定回数以上のものがある場合に、前記参照情報に関連する販売促進のための
案内情報が登録されている案内情報デ−タベ−スから前記参照情報に関連する案
内情報を検索する案内情報検索手段と、
該案内情報検索手段により、前記参照情報に関連する案内情報が検索された場
合、該案内情報を前記放送端末装置に送信する案内情報送信手段とを備えている
ことを特徴とする情報提供システム。
【手続補正２】
【補正対象書類名】明細書
【補正対象項目名】００１０
【補正方法】変更
【補正の内容】
【００１０】
【課題を解決するための手段及びその効果】
上記目的を達成するために本発明に係る放送端末装置（１）は、視聴者が視聴
した番組に関連する番組デ−タを記憶する視聴者番組デ−タ記憶手段と、該視聴
者番組デ−タ記憶手段に記憶された前記番組デ−タに基づいて、前記視聴者の好
みの番組リストを作成する視聴者別番組リスト作成手段と、放送事業者側から受
信した番組表から前記視聴者別番組リスト作成手段により作成した前記視聴者の
好みの番組リストに該当する番組を検出する嗜好番組検出手段と、電源投入時に
、前記嗜好番組検出手段により検出された前記視聴者の好みの番組が放送されて
いるか否かを検出する番組放送検出手段と、該番組放送検出手段により、前記視
聴者の好みの番組が放送されていることが検出された場合、前記視聴者の好みの
番組を立ち上げる嗜好番組立上手段とを備えていることを特徴としている。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
上記放送端末装置（１）によれば、電源投入時に、前記視聴者の好みの番組が
放送されている場合には、前記視聴者の好みの番組から立ち上げることができる
。したがって、前記視聴者は、好みの番組を選択する手間を省くことができ、い
ち早く前記視聴者の好みの番組を視聴することができる。
【手続補正１０】
【補正対象書類名】明細書
【補正対象項目名】００１８
【補正方法】変更
【補正の内容】
【００１８】
また本発明に係る放送端末装置（２）は、上記放送端末装置（１）において、
前記嗜好番組立上手段が、ラストチャンネル等で立ち上げた後、所定時間経過後
に前記視聴者の好みの番組を立ち上げるものであることを特徴としている。
【手続補正１１】
【補正対象書類名】明細書
【補正対象項目名】００１９
【補正方法】変更
【補正の内容】
【００１９】
上記放送端末装置（２）によれば、ラストチャンネルや視聴者が選局したチャ
ンネル等で立ち上げた後、所定時間経過後に前記視聴者の好みの番組を立ち上げ
るので、前記視聴者は、好みの番組を選択する手間を省くことができ、しかも前
記視聴者の好みの番組に自動的に切り換わったことを確認することができ、違和
感なく前記視聴者の好みの番組を視聴することができる。
【手続補正１２】
【補正対象書類名】明細書
【補正対象項目名】００２１
【補正方法】変更
【補正の内容】
【００２１】
また本発明に係る放送端末装置（３）は、上記放送端末装置（１）において、
前記嗜好番組立上手段が、ラストチャンネル等で立ち上げた後、所定幅のランダ
ム時間経過後に前記視聴者の好みの番組を立ち上げるものであることを特徴とし
ている。
【手続補正１３】
【補正対象書類名】明細書
【補正対象項目名】００２２
【補正方法】変更
【補正の内容】
【００２２】
上記放送端末装置（３）によれば、ラストチャンネル等で立ち上げた後、所定
幅のランダム時間経過後に前記視聴者の好みの番組を立ち上げるので、前記視聴
者は、好みの番組を選択する手間を省くことができ、違和感なく前記視聴者の好
みの番組を視聴することができる。
【手続補正１４】
【補正対象書類名】明細書
【補正対象項目名】００２４
【補正方法】変更
【補正の内容】
【００２４】
また本発明に係る放送端末装置（４）は、上記放送端末装置（１）において、
表示手段への表示条件が成立したことを判断する表示条件成立判断手段を備え、
前記嗜好番組立上手段が、ラストチャンネル等で立ち上げた後、前記表示条件成
立判断手段により表示条件が成立したと判断された場合に、前記視聴者の好みの
番組を立ち上げるものであることを特徴としている。
【手続補正１５】
【補正対象書類名】明細書
【補正対象項目名】００２５
【補正方法】変更
【補正の内容】
【００２５】
上記放送端末装置（４）によれば、ラストチャンネル等で立ち上げた後、前記
表示条件成立判断手段により表示条件が成立したと判断された場合に、前記視聴
者の好みの番組を立ち上げるので、前記視聴者は、好みの番組を選択する手間を
省くことができ、いち早く前記視聴者の好みの番組を視聴することができる。
【手続補正１６】
【補正対象書類名】明細書
【補正対象項目名】００２７
【補正方法】変更
【補正の内容】
【００２７】
また本発明に係る放送端末装置（５）は、上記放送端末装置（１）〜（４）の
いずれかにおいて、前記視聴者番組デ−タ記憶手段に記憶される前記番組デ−タ
に、視聴した日付、曜日、受信チャンネル、視聴時間などの受信情報、及び番組
デ−タに予め登録されている映画、ニュ−ス、スポ−ツ、ドラマなどのジャンル
種別や、出演する俳優、歌手、タレントなどの人物情報などの参照情報が含まれ
ていることを特徴としている。
【手続補正１７】
【補正対象書類名】明細書
【補正対象項目名】００２８
【補正方法】変更
【補正の内容】
【００２８】
上記放送端末装置（５）によれば、前記番組デ−タに前記受信情報及び前記参
照情報が含まれているので、前記受信情報及び前記参照情報に基づいて、前記視
聴者の好みの番組の解析に役立てることができ、前記視聴者の好みの番組リスト
の作成が容易かつ的確なものとなる。
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】